(57)【特許請求の範囲】
【請求項１】
流体中に浮揚することにより免震性を有する浮体式免震構造物であって、
該浮体式免震構造物は、構造物本体と、該構造物本体の側方に設けられた空気室とよりなり、
該空気室が、前記構造物本体の外壁より水平に取り付けられた張出スラブと、該張出スラブの先端部より鉛直下方向に延びる隔壁とより構成されることを特徴とする浮体式免震構造物。
【請求項２】
請求項１に記載の浮体式免震構造物において、
前記空気室の上方には、構造物が設けられることを特徴とする浮体式免震構造物。
【請求項３】
請求項１または２に記載の浮体式免震構造物において、
前記隔壁には、該隔壁と直交するように延出片が設けられることを特徴とする浮体式免震構造物。
【発明の詳細な説明】
【０００１】
【発明の属する技術分野】
本発明は、簡略な構造で鉛直方向の免震性能を向上できる浮体式免震構造物に関する。
【０００２】
【従来の技術】
従来より、構造物を流体中に浮揚させることにより免震性能を確保する免震構造において、その免震性能が、水平方向については効果が高いことが一般に知られている。これに加え、鉛直方向の免震性能についても、十分な効果を得ることを目的に、図５に示すような、構造物本体２の底部に複数の空気室３を設けた免震構造物２０が検討されている。これは、該免震構造物２０の空気室３を複数に分割する構造とすることにより、構造物本体２の静的安定性を維持し、かつ復元力を確保し、水平方向だけでなく、鉛直方向の地震動に対しても免震効果を持たせる構造としたものである。
【０００３】
【発明が解決しようとする課題】
しかし、このような免震構造物２０は、前記空気室３が構造物本体２の底部に位置するため、重心が高くなり復元力が小さくなりやすい。また、図１１に示す構造を高層構造物に適用する場合には、復元力を十分に持たせる必要があるため、これを目的に、空気室３の分割数をさらに増やす必要が生じる。しかし、このような方法はコストが高くなるとともに、空気室３の気圧の保持や腐食等に対するメンテナンス作業が煩雑となるため、現実的ではない。
【０００４】
一方で、復元力を十分に保持することを目的に、前記空気室３の高さを十分にとる方法も考えられるが、流体７を配する免震ピット６を深くすると、地盤の掘削量が増加しコストが高くなることが考えられる。また、前記空気室３を上方に大きくとると、免震構造物２０全体に対して構造物本体２の占める割合が小さくなり、免震構造物２０内に活用できないスペースが多くなりやすい。
【０００５】
上記事情に鑑み、本発明は、簡略な構造で、鉛直方向の免震性能を向上できる浮体式免震構造物を提供することを目的としている。
【０００６】
【課題を解決するための手段】
請求項１記載の浮体式免震構造物は、流体中に浮揚することにより免震性を有する浮体式免震構造物であって、該浮体式免震構造物は、構造物本体と、該構造物本体の側方に設けられた空気室とよりなり、該空気室が、前記構造物本体の外壁より水平に取り付けられた張出スラブと、該張出スラブの先端部より鉛直下方向に延びる隔壁とより構成されることを特徴としている。
【０００７】
請求項２記載の浮体式免震構造物は、前記空気室の上方には、構造物が設けられることを特徴としている。
【０００８】
請求項３記載の浮体式免震構造物は、前記隔壁には、該隔壁と直交するように延出片が設けられることを特徴としている。
【０００９】
【発明の実施の形態】
以下、本発明に係る浮体式免震構造物について、図１から図４を用いて詳述する。
【００１０】
（本発明の第１の実施の形態）
図１から図２に、構造物本体２の側方に空気室３を設け、鉛直方向の免震性能を向上させる事例を以下に示す。
図１（ａ）に示すように、浮体式免震構造物１は、地盤中に設けられた免震ピット６の内部で、所定量を満たされた流体７中に浮揚しており、構造物本体２と、空気室３より構成されている。該空気室３は、構造物本体２の外周より張り出すように設けられた張出スラブ４と、該張出スラブ４の先端より鉛直下方向に延びる隔壁５とにより構成され、外周面全体に設けられている。なお、前記免震ピット６は、該浮体式免震構造物１の外形よりも大きい断面積と、前記空気室３の高さを越える深さを有している。
【００１１】
上述する構成によれば、浮体式免震構造物１は、構造物本体２の下部ではなく、側部に空気室３が設けられるため、浮体式免震構造物１全体の重心点の位置が下方に下がり、構造物本体２の安定性が増すとともに、復元性能を向上することが可能となる。
【００１２】
なお、前記空気室３は、構造物本体２の外周部全体に設ける必要はなく、構造物本体２の側部に設ければ、何れの位置に何カ所設けてもよい。また、図１（ｂ）に示すように、前記空気室３の上部に新たに構造物１０を構築してもよい。
【００１３】
図１（ａ）（ｂ）では、構造物本体２の側部に空気室３を設けた浮体式免震構造物１を示したが、空気室３の配置位置は、構造物本体２の側方に位置していればこれに限ることなく、構造物本体２より下方に設けてもよい。図２にこれらの事例を示す。
【００１４】
図２（ａ）に示すように、浮体式免震構造物１は、構造物本体２と、該構造物本体２の下端部より外方に張り出すように設けられた張出スラブ４の下部に設けられた空気室３とより構成される。該空気室３は、前記張出スラブ４と該張出スラブ４の先端及び、その内方より鉛直下方向に各々延びる隔壁５とにより構成され、外周面全体に設けられている。なお、ここで用いられる前記免震ピット６は、該浮体式免震構造物１の空気室３の外形よりも大きい断面積と、前記空気室３の高さを越える深さを有しており、ロの字状に形成されている。
【００１５】
上述する構成によれば、浮体式免震構造物１は、構造物本体２の下方で、かつ側部に空気室３が設けられるため、浮体式免震構造物１全体の重心点の位置から離れた位置に空気室３が設けられることとなり、復元性能を向上させるとともに、ロッキングを解消することが可能となる。
【００１６】
なお、前記空気室３は、構造物本体２の外周部全体に設ける必要はなく、構造物本体２の下方で側部に設けられれば、何れの位置に何カ所設けてもよい。ただし、これに応じて前記免震ピット６の形状を変化させることとなる。また、図２（ｂ）に示すように、前記免震ピット６の中央部を掘り込み、前記構造物本体２を下方に拡張して浮体式免震構造物１全体の重心点の位置を下げて、さらに復元力を高める構成としてもよい。さらに、図２（ｃ）（ｄ）に示すように、前記空気室３の上部に側方構造物を構築してもよい。
【００１７】
（本発明の第２の実施の形態）
図３及び図４に、第１の実施の形態に示した浮体式免震構造物１について、さらに免震性能を向上させる事例を示す。図１（ａ）（ｂ）、及び図２（ａ）（ｂ）（ｃ）（ｄ）に示した浮体式免震構造物１に対して、図３（ａ）（ｂ）及び図４（ａ）（ｂ）（ｃ）（ｄ）に示すように、各々の空気室３における前記隔壁５の下端部には、各々に該隔壁５に対して直交するように延出片５ａが設けられている。
【００１８】
該延出片５ａは、浮体式免震構造物１の運動時の重量を増すことを目的に取り付けられるもので、該浮体式免震構造物１の下方の運動時の重量を増加させることにより、固有周期を長期化し、免震性能を向上させるものである。本発明の第２の実施の形態では、延出片５ａを前記隔壁５の下端部に設けたが、これにこだわるものではなく、前記隔壁５の中間部に設けてもよい。
【００１９】
このような構成によれば、浮体式免震構造物１は、前記延出片５ａにより付加重量を与えられることとなるため、浮体式免震構造物１全体の重量が増し、免震性能を向上させることが可能となる。また、該延出片５ａは空気室３内に配置させてもよいが、流体７中に配置させれば、該延出片５ａと共に流体が運動し、見かけ上増加した重量として浮体式免震構造物１に伝達することができるため、擬似的に浮体式免震構造物１の重量が増すこととなり、免震性能もさらに向上させることが可能となる。
【００２０】
なお、該延出片５ａの形状は、何れにもこだわるものではないが、浮体式免震構造物１が鉛直方向の挙動を示した際に、前記流体７が延出片５ａと共に運動する付加重量となりうる形状であれば、その効果は大きい。
【００２１】
【発明の効果】
請求項１記載の浮体式免震構造物は、流体中に浮揚することにより免震性を有する浮体式免震構造物であって、該浮体式免震構造物は、構造物本体と、該構造物本体の側方に設けられた空気室とよりなり、該空気室が、前記構造物本体の外壁より水平に取り付けられた張出スラブと、該張出スラブの先端部より鉛直下方向に延びる隔壁とより構成されることから、浮体式免震構造物全体の重心点を下方に下げることができるため、構造物本体の安定性が増すとともに、復元性能を向上することが可能となる。
【００２２】
請求項２記載の浮体式免震構造物は、前記空気室の上方には、構造物が設けられることから、構造物本体の安定性と、復元性能を向上させながら、構造物本体の空間を広くとることが可能となる。
【００２３】
請求項３記載の浮体式免震構造物は、前記隔壁には、該隔壁と直交するように延出片が設けられることから、延出片により付加重量を与えられることとなるため、浮体式免震構造物全体の重量が増し、免震性能を向上させることが可能となる。また、該延出片を流体中に配置させれば、延出片周辺の水を運動時の重量として浮体式免震構造物に伝達することができるため、擬似的に浮体式免震構造物の重量が増すこととなり、免震性能もさらに向上させることが可能となる。
【００２４】
【図面の簡単な説明】
【図１】  本発明に係る構造物本体の側部に空気室を設けた浮体式構造物を示す図である。
【図２】  本発明に係る構造物本体の側部に空気室を設けた浮体式構造物の他の事例を示す図である。
【図３】  本発明に係る構造物本体の側部に空気室を設けた浮体式構造物を長周期化させた事例を示す図である。
【図４】  本発明に係る構造物本体の側部に空気室を設けた浮体式構造物を長周期化させた他の事例を示す図である。
【図５】  従来の浮体式構造物の概略を示す図である。
【００２５】
【符号の説明】
１  浮体式構造物
２  構造物本体
３  空気室
４  張出スラブ
５  隔壁
５ａ  延出片
１０  構造物
【図１】
0003894476.tif 000002
【図２】
0003894476.tif 000003
【図３】
0003894476.tif 000004
【図４】
0003894476.tif 000005
【図５】
0003894476.tif 000006